(57)【要約】  本発明は、従来のこのタイプの袋の構造に基づく袋に関するものであり、その自由端の頂点（７）が面取りされたあるいは丸い構成を有し、袋の内部でのトウモロコシ穀粒の調理による体積の増加によって膨らむ間、袋が、その回転を妨げて電子レンジの側面の壁に対して塞ぐ又は押し留めたままであるのを防ぎ、それにより、トウモロコシ穀粒上への熱の均等な分配を確実にし、そのために従来のポップコーン袋で起こるように、多数の穀粒が適切に調理されないのを防ぐことを特徴とする袋である。【選択図】図１
2018538206.tif 000002
【特許請求の範囲】
【請求項１】
伝統的な「ポップコーン」を得るために電子レンジでトウモロコシ穀粒を調理するための袋であって、管状の本体から得られその中に適切な処理が施された対応するトウモロコシ穀粒が配置されるタイプの袋で一般に用いられる材料に基づいて、その端部によって密封された前記管状の本体は平らな配置を採用し、前記端部又は側面領域（３）が梱包された配置において前記袋（１）の中央の領域（２）上で折り畳まれたままである袋において、前記側面領域（３）の自由端の頂点部（７）がしっかりと面取りされた構成を呈することを特徴とする袋。
【請求項２】
前記自由端の頂点部（７）が丸いあるいは多角形の構成であることを特徴とする、請求項１に記載の電子レンジでトウモロコシ穀粒を調理するための袋。
【請求項３】
前記袋が、その調理でそれ自体の体積の増加を伴う他のタイプの食物を含むことができることを特徴とする、請求項１に記載の電子レンジでトウモロコシ穀粒を調理するための袋。
【発明の詳細な説明】
【技術分野】
【０００１】
本発明は、伝統的なポップコーンを得るために電子レンジでトウモロコシ穀粒を調理するための袋に関する。
【０００２】
本発明の目的は、電子レンジ内でどのように配置されるかに関係なく、袋の中に収容されたトウモロコシ穀粒の最適かつ均等な調理を確実にし、従来のようにそれらの一部が適切に調理されず、それゆえに最後に得られるべき製品に変形しないのを避けることができる袋を提供することである。
【背景技術】
【０００３】
本発明の実用的な用途の領域では、電子レンジでポップコーンを得ることを目的とするトウモロコシ穀粒の袋は、平らな管状の構造であり、結果として矩形であって、その端部で閉じ、適切に処理されたトウモロコシ穀粒が含まれる袋の中央の領域上で折り畳まれて終端する構造を有する。
【０００４】
袋は、調理の間、トウモロコシ穀粒がポップコーンに変形することによる体積の増加のために、端部が膨らみ始めるので、端部を上方へ面して電子レンジの回転プレートの中央に置かれて、水平に配置されなければならない。電子レンジによって生成される熱は、トウモロコシ穀粒をポップコーンに変形させるために均等に分配される必要がある。
【０００５】
かなりの量の穀粒が、調理プロセスの間ポップコーンに変形しないのが現実であり、これは、パッケージ自体の性質のためである。その端部が膨らんで要素を定め始める場合、特にサイズが小さい電子レンジでは、電子レンジの壁にこれらの端部が衝突する時にパッケージが十分に回転せず熱が均等に分配されないようにパッケージの回転を妨げる傾向がある。これにより、大部分のトウモロコシ穀粒が最終的に適切に調理されず、したがってポップコーンに変形しない、あるいは、全ての穀粒をポップコーンに変形させるために追加の調理時間が必要となり、それはポップコーンのその部分が過剰に調理されることを意味し、その結果、焦げてしまい、明らかに非常にその味覚に悪影響を及ぼすことになってしまう。
【発明の概要】
【発明が解決しようとする課題】
【０００６】
提案される袋は、単純であるが非常に有効な解決法に基づいて完全に満足な方法で前記の問題を解決する。
【課題を解決するための手段】
【０００７】
このために特に、本発明の袋は、電子レンジの対応する回転プレート上で配置する際、プレートの回転の障害とならないように、したがって、パッケージ自体が電子レンジの壁に引っ掛かる可能性のある鋭い端部を有しないように、直角でその頂点部を有する代わりに、鋭く丸い頂点部を呈するその矩形の展開において特徴付けられる。それゆえに、本発明の袋は、トウモロコシ穀粒の体積の増加のために膨らむにつれて、それ自体の構造によって袋が電子レンジの内部の体積に適応するのを容易にするので、そのパッケージを特定の位置に配置する必要さえなく、完全に中央に置かれたままでその回転を可能にし、そして熱の均等な分配を達成して、したがって、同じ体積の適切に処理されたトウモロコシ穀粒から、より多い量の完全に調理されたポップコーンを得ることができる。
【０００８】
袋の製造のプロセスに関しては、従来の袋の場合には、その一端で閉じられて前処理されたトウモロコシ穀粒で満たされ、準備ができるとその他端がヒートシーリングによって閉じられるかなりの長さの管状の本体に基づいて作成されるため、本発明の袋は、生産チェーンの大きな変更を必要としない。それゆえに、唯一変更するものは、ヒートシーリングの構成、及び、袋をダイカットする方法であり、従来の袋では切断が管状の要素に対して垂直であるために、廃棄物は生成されないが、本発明の場合、容易に再利用することができる小さい取り外し可能な領域が生成されるように、その端部で湾曲した軌道を定め、断面的に管状の本体を切る刃が用いられる。
【０００９】
このような方法で、単純な構造を有するが従来のポップコーンの袋よりも非常に大きな収量が可能になる袋を得ることができる。
【００１０】
袋は、好ましくは基本的にポップコーンを得ることを目的とするために記載されているが、これらの特徴を有する袋に包装することができる例えばペレット又は他のタイプの食品のような電子レンジでの後の調理のために包装される必要のある他のタイプの製品を含むための使用が排除されるものではない。
【００１１】
好適な実用的かつ例示的な実施態様に従って本記載を完全なものにし、本発明の特徴のより良好な理解を助けるために、説明用に、非制限的な方法で本記載の一体的な部分として図面のシートが添付される。図面の説明は以下の通りである：
【図面の簡単な説明】
【００１２】
【図１】図１は、本発明の目的に従って作成された、電子レンジでトウモロコシ穀粒を調理するための袋の平面図に対応する図を示すものである；
【図２】図２は、使用のために配置される、すなわち、対応する電子レンジに入れられる前の、袋の中央領域上でその端部が折り畳まれた本発明の袋の輪郭の図に対応する図を示すものである；
【図３】図３は、図２のものと同様であるが、袋内に含まれる製品の調理が電子レンジで実行される時に膨らんでいる中間の段階にある図を示すものである；
【図４】図４は、電子レンジ内で完全に膨らんだ袋の平面図を示すものであり、それ自体の回転を妨げるように電子レンジの壁が障害物になっていない状態で、プレートの、それゆえに袋の回転を示す矢印を含んで概略的に表されているものである；
【図５】図５は、最後に、様々な構成の袋の頂点部の平面図を示すものである。
【発明を実施するための形態】
【００１３】
上記の図で分かるように、本発明の袋は、電子レンジでの調理を意図する、好ましくは適切に処理されたトウモロコシといった食材を入れることを目的とするタイプのものであり、その袋（１）は、調理される製品が適切に配置される中央の領域（２）、及び、調理の間、トウモロコシ穀粒の体積が増加するのに必要であるので袋の体積の増加を容易にするために対応する折り畳み線（４）を通じてその中央の領域（２）と関連して区切られる２つの側面領域（３）を有する。
【００１４】
従来と同じように、その包装の売買の段階では、袋は、図２に示すように、その側面領域（３）が折り畳まれて、中央の領域（２）の上に重ね合せられるように配置され、そこで、このアセンブリは、実際には任意であり従来通りの図示されない包装で、保護のために適切に包装されることができる。
【００１５】
袋は、その中心で体積が増加し始めるにつれてその一定の回転を可能にし、したがって、そこに入れられたトウモロコシ穀粒のすべての均等な調理が可能であるために、プレート上に具体的かつ特定の方法で配置されるように、袋の構成による特殊事情が必要なく、むしろいかなる形であれ配置することができる、対応する電子レンジ（６）の回転プレート（５）に配置されることを目的とする。
【００１６】
この目的のために、側面領域（３）の自由端の頂点部（７）は、袋が、前記側面領域と電子レンジの壁とが衝突して引っかかるのを防ぐ面取りされたあるいは丸い構成を有して、プレート（５）上での回転において袋のあらゆる滞留を避けることが、本発明の袋の重要な特徴である。
【００１７】
図４は、電子レンジ（６）の対応する回転プレート（５）上に配置された、矩形の形状の中央の領域及び丸い頂点部（７）を有する袋（１）を明確に示すものであり、矢印（８）は、そのプレート（５）の回転方向、それゆえに、側面領域（３）が中央領域（２）上に適切に折り畳まれた状態でプレート上に前もって配置された袋（１）の回転方向を示す。
【００１８】
そして最後に、図５に面取りされた頂点部の様々な構成が示される。
【図１】
2018538206.tif 000003
【図２】
2018538206.tif 000004
【図３】
2018538206.tif 000005
【図４】
2018538206.tif 000006
【図５】
2018538206.tif 000007
【国際調査報告】
2018538206.tif 000008
2018538206.tif 000009
2018538206.tif 000010
2018538206.tif 000011
2018538206.tif 000012
2018538206.tif 000013